(57)【要約】【課題】  定着ローラに従動する加圧ベルトの挙動が不安定となり画像不良が発生した。【解決手段】  定着ローラ１０と加圧ベルト２０間の摩擦係数をμ１、加圧ベルト２０と駆動ローラ２２間の摩擦係数をμ２、定着ローラ１０の周速をＶ１、駆動ローラ２２の周速をＶ２としたとき、以下を満足する。  μ２＜μ１  ０．２＜μ１＜０．５  ０．００５＜μ２＜０．３  ０．９＜Ｖ２／Ｖ１＜１．０【選択図】  図２
2008203514.tif 000002
【特許請求の範囲】
【請求項１】
記録材上のトナー画像をニップ部にて加熱する加熱回転体と、前記加熱回転体を駆動する駆動手段と、前記加熱回転体との間で前記ニップ部を形成するエンドレスベルトと、前記ベルトを前記加熱回転体に向けて加圧するとともに前記ベルトを駆動する駆動ローラと、を有する画像加熱装置において、
前記加熱回転体と前記ベルト間の摩擦係数をμ１、前記ベルトと前記駆動ローラ間の摩擦係数をμ２、前記加熱回転体の周速をＶ１、前記駆動ローラの周速をＶ２としたとき、
μ２＜μ１
０．２＜μ１＜０．５
０．００５＜μ２＜０．３
０．９＜Ｖ２／Ｖ１＜１．０
を満足することを特徴とする画像加熱装置。
【請求項２】
０．９３＜Ｖ２／Ｖ１＜１．０
を満足することを特徴とする請求項１の画像加熱装置。
【請求項３】
前記ベルトはエンドレスのフィルムであることを特徴とする請求項１又は２の画像加熱装置。
【発明の詳細な説明】
【技術分野】
【０００１】
本発明は記録材上のトナー画像を加熱する画像加熱装置に関する。この画像加熱装置としては、記録材上の未定着トナー画像を加熱することにより定着する定着装置や、記録材上に定着されたトナー画像を加熱することにより画像の光沢度を向上させる光沢向上装置などを挙げることができる。また、この画像加熱装置は、例えば、複写機、プリンタ、ＦＡＸなどの電子写真方式を用いた画像形成装置に用いることができる。
【背景技術】
【０００２】
従来、電子写真方式を採用した画像形成装置において、未定着トナー像を定着する定着装置としては種々の方式のものが提案されている。
【０００３】
種々の方式の定着装置の中でも、画像形成の高速化に対応すべく定着ニップの増大化を図ることができるベルト定着装置が提案されている（特許文献１、特許文献２）。
【０００４】
このベルト定着装置には、定着ローラに圧接するように加圧ベルトが設けられており、この加圧ベルト内面から定着ローラに向けて加圧パッドを押し当てる構成とされている。その結果、加圧パッドからベルト懸架ローラに至る十分に長い定着ニップを形成することが可能となっている。
【０００５】
このベルト定着装置では、定着ローラを駆動源によって回転駆動する一方、加圧ベルトは定着ローラとの摺動により発生する摺動摩擦力によって従動回転する構成とされている。つまり、定着ニップにシートが存在するとき、加圧ベルトはシートを経由して搬送力を主に受けることになり、加圧ベルトの周速はシートの搬送速度の影響を受けることになる。
【０００６】
このように、加圧ベルトを定着ローラによって従動回転させる構成では、シートの種類、環境条件、トナー画像の種類などにより、加圧ベルトに付与される搬送力が変化し加圧ベルトの回転が不安定となってしまうことがあった。
【０００７】
例えば、シートの広範囲に未定着トナーが多量に載っているような場合、このシートが定着ニップに突入すると、定着ローラとシート間の動摩擦係数が低下傾向となり加圧ベルトの搬送力が低下してしまう。その結果、シートが定着ローラに対し遅れが生じ滑ってしまい、画像ズレなどの画像不良が発生してしまう。このとき、加圧ベルトの周速はシートの搬送速度とほぼ同速度であると考えられる。
【０００８】
このように、従来の加圧ベルトの駆動方式では、高品位な画質を得ることができなかった。
【０００９】
なお、このようなシートの搬送遅れを防止するため、特許文献３に記載の装置においては駆動機構にオーバーライド機構を採用している。
【特許文献１】特開平８−１６６７３４号公報
【特許文献２】特開平１０−３１９７７２号公報
【特許文献３】特開平２−２２２９８０号公報
【発明の開示】
【発明が解決しようとする課題】
【００１０】
しかしながら、このようなオーバーライド機構を採用したとしても対策としては不十分なものであった。
【００１１】
つまり、このオーバーライド機構は、定着ニップにシートが存在しないときは、特許文献１、２に記載の装置と同様に、加圧ベルトは定着ローラとの摺動摩擦力により従動回転する構成とされている。一方、シート（トナー像）が定着ローラに対し滑りを起こし加圧ベルトが定着ローラに対し遅れてしまうときに限って、加圧ベルトが駆動の入力を受ける構成とされている。すなわち、加圧ベルトが定着ローラの周速よりも遅くなってから加圧ベルトに駆動が入力されるまでに僅かながらではあるが時間を要してしまう。
【００１２】
従って、トナー像をシートに定着する途中で加圧ベルトの速度が変更されてしまうので、この速度変更によりやはり画像ズレなどの画像不良が発生してしまった。
【００１３】
そこで、本発明は画像不良の発生を抑制することができる定着装置を一例とする画像加熱装置を提供することである。
【課題を解決するための手段】
【００１４】
上記目的は本発明により達成することができる。
【００１５】
本発明は、記録材上のトナー画像をニップ部にて加熱する加熱回転体と、前記加熱回転体を駆動する駆動手段と、前記加熱回転体との間で前記ニップ部を形成するエンドレスベルトと、前記ベルトを前記加熱回転体に向けて加圧するとともに前記ベルトを駆動する駆動ローラと、を有する画像加熱装置において、
前記加熱回転体と前記ベルト間の摩擦係数をμ１、前記ベルトと前記駆動ローラ間の摩擦係数をμ２、前記加熱回転体の周速をＶ１、前記駆動ローラの周速をＶ２としたとき、
μ２＜μ１
０．２＜μ１＜０．５
０．００５＜μ２＜０．３
０．９＜Ｖ２／Ｖ１＜１．０
を満足することを特徴とするものである。
【発明の効果】
【００１６】
本発明によれば、ベルトの速度を安定化することで画像不良の発生を抑制することができる。
【発明を実施するための最良の形態】
【００１７】
以下に、実施例を挙げて、本発明をより具体的に説明する。なお、これら実施例は、本発明を適用することができる好適な一例ではあるものの、本発明はこれら実施例にのみ限定されるものではない。
【実施例１】
【００１８】
本発明にかかる画像加熱装置としての定着装置の説明を行う前に、まず図１を用いて画像形成装置の全体構成について説明する。
【００１９】
図１に示す画像形成装置は、電子写真方式を採用した画像形成装置（いわゆるプリンタ）である。
【００２０】
（画像形成手段）
まず、画像形成装置２０１に搭載されている、記録材としてのシートにトナー画像を形成する画像形成手段について説明する。この画像形成手段は以下に説明する機器を備えている。
【００２１】
像担持体としての感光体ドラム２０２の周りに帯電手段としての帯電器２０３が設けられており、感光体ドラム２０２の表面は帯電器２０３によって一様に帯電処理される。そして、露光手段としての露光装置２０４から画像に応じた光２０５を照射されることによって感光ドラム２０２上に静電潜像が形成される。この静電潜像は現像手段としての現像器２０６によって現像されてトナー画像が形成される。一方、シートとしてのシートＳは装置下部の給紙カセット２０９に収納されており、給紙ローラ２１０によって給紙される。シートＳは搬送手段としてのレジストローラ対２１１によって感光ドラム２０２上のトナー画像と同期して搬送される。感光ドラム上のトナー画像は転写手段としての転写ローラ２０７によってシート上に静電転写され、定着装置Ａへと搬送される。その後、感光ドラム２０２上に残留したトナーはクリーニング手段としてのクリーニング装置２０８によって除去される。
【００２２】
そして、画像形成手段によってシートＳ上に形成された未定着トナー画像（図２においてシートＳ上に模式的に示されている）は、定着装置Ｘにおいて、加熱・加圧されることによってシート上に定着される。その後、トナー画像が定着されたシートＳは排出ローラ対２１２によって装置上部の排出トレイ２１３へと搬送排出される。
【００２３】
（定着装置）
次に、画像加熱装置としての定着装置の構成について図面を用いて説明する。本例の定着装置は、上述したように、記録材上の未定着トナー像を加熱、加圧することで定着する機能を担っている。図２は定着装置の概略断面図を示したものである。
【００２４】
上記定着装置Ｘは、図２に示すように、加熱回転体（定着回転体）としての定着ローラ１０が駆動手段としての駆動モータＭや駆動ギア列Ｇ（図４参照）により矢印Ａ方向に回転可能に設けられている。つまり、定着ローラ１０は駆動モータＭから回転駆動力が付与される構成となっている。
【００２５】
定着ローラ１０は、アルミ等の金属からなる芯金１１１と、この芯金の上にシリコーンゴム等からなる弾性層１１２を有している。なお、この弾性層１１２の上にトナーが付着し難いフッ素樹脂層などの離型層を積層する構成としても構わない。
【００２６】
定着ローラの内部には、加熱源としてのハロゲンヒータ１１３が配置されており、定着ローラはこのハロゲンヒータからの熱により加熱される。定着ローラ表面には温度検出素子としてのサーミスタ１１４が接触配置されている。
【００２７】
制御装置（ＣＰＵ）は、このサーミスタ１１４による検出結果に応じてハロゲンヒータへの通電量を制御することにより定着ローラ表面が所定の定着温度を維持するようにしている。また、この制御装置は後述する定着ローラ１０や加圧ベルト２０の駆動ローラ２２の周速度が所定の値となるように設定する設定手段としての機能も担っている（図４参照）。
【００２８】
また、定着ローラの下方にはベルトユニット２が配置されている。エンドレスベルトとしての加圧ベルト２０は、インレットローラ２１、駆動ローラ２２、ステアリングローラ２３により張架され、矢印Ｃ方向に回転可能に設けられている。この加圧ベルト２０はエンドレスのフィルムとも呼ぶことができ、本例ではその厚さが１００μｍ以上７００μｍ以下の範囲のものを好適に用いることができる。なお、本例では、厚さが５００μｍのものを使用している。
【００２９】
駆動ローラ２２はＳＵＳ等の金属より構成されており、矢印ＳＦ方向に向けて、つまり、加圧ベルト２０を介して定着ローラ１０に向けて加圧機構により所定の圧力で加圧されている。また、駆動ローラ２２は後述する駆動機構から回転駆動力が付与される構成とされている。
【００３０】
ステアリングローラ２３は、回転軸の一端側のみが矢印Ｂ方向に移動可能となっており、ステアリングローラ２３の一端側を変位させてこれを傾斜させることにより、加圧ベルト２０をその幅方向に揺動させる機能を担っている。
【００３１】
インレットローラ２１は加圧ベルト２０を加熱するためのハロゲンヒータが内蔵されている。
【００３２】
また、インレットローラ２１と駆動ローラ２２の間には定着ニップを形成するための加圧パッド部２４が回転不可に固定配置されている。この加圧パッド部２４は、ＳＵＳ等の金属からなる加圧ベース２５と、シリコーンゴム等からなる加圧パッド２６を有している。
【００３３】
また、加圧パッド２６の表面には加圧ベルトとの摺動抵抗を低減するためＰＩ等からなるシート状部材としての低摺動シート２７が被覆されている。このように構成された加圧パッド部２４は矢印ＰＦ方向に、つまり、加圧ベルトを介して定着ローラに向けて所定の圧力で加圧されている。
【００３４】
また、インレットローラ２１と加圧パッド部２４の間には潤滑剤としてのオイルを加圧ベルトに塗布する塗布手段としてのオイル塗布ローラ２８が設けられている。オイル塗布ローラ２８にはシリコーンオイルが含浸されていて、加圧ベルト２０の内面に一定量のオイルが供給されるように構成されている。これにより加圧ベルト２０と摺動シート２７との摩擦力を低減し、耐久性を向上させている。
【００３５】
図３は駆動ローラ近傍の拡大図である。ここで、駆動ローラ２２は加圧機構により加圧ベルト２０を介して定着ローラ１０に向けて加圧されているため、定着ローラ１０の弾性層１１２が図示するように凹んだ形状に変形する。一方、駆動ローラ２２によって加圧されている領域を過ぎると、定着ローラ１０の弾性層１１２の変形は復帰する。
【００３６】
シート上のトナー像は定着ニップＷで溶融、加圧されるため、シートが定着ローラに張り付く傾向となる。しかし、定着ローラ１０の弾性層１１２は駆動ローラ２２によって変形されているため定着ローラ１０に張り付き気味のシートは剥離され易い構成となっている。つまり、シートＳは自らのこし（剛度）によって矢印Ｙ方向に分離、排出される。
【００３７】
また、加圧パッド２６の端部には圧抜け対策のため棒状部材としての金属ワイヤー２６ａが設けられている。金属ワイヤー２６ａは加圧パッド２６と一体構成となっている。この金属ワイヤー２６ａにより定着ローラ１２の弾性層１１２は変形させられる。
【００３８】
このような定着装置Ｘでは、定着ローラ１０、加圧ベルト２０、加圧パッド部２４、駆動ローラ２２とによりシート搬送方向に長い定着ニップ（ニップ部）Ｗを形成している。これにより、従来の定着ローラと加圧ローラを用いた定着装置に比してニップ幅を広く取れるため、シート上のトナーを短時間に良好に溶融することが可能になる。従って、後述する図１０に示すようなカラー画像形成装置のような多量のトナーを使用する画像形成装置には適した構成である。
【００３９】
（定着装置の駆動機構）
図４は定着装置Ｘの駆動機構を示したものである。なお、本例では、１つの駆動モータＭによる回転力を定着ローラ１０と駆動ローラ２２へ伝達する駆動機構とされているが、このような例だけに限られない。つまり、駆動モータと駆動伝達機構を別々に２つ設けることで、定着ローラ１０と駆動ローラ２２を別々に独立して駆動する構成としても構わない。
【００４０】
この駆動機構は、駆動源である駆動モータＭ、駆動ギア列Ｇ、ギア１１〜１４、伝動ベルト１５から主に構成されている。駆動モータＭは、ＣＰＵに接続されており、このＣＰＵによって速度が制御される構成となっている。
【００４１】
定着ギア１１は定着ローラ１０の一端部に固定されており、この定着ギア１１に駆動ギア列Ｇを介して駆動源Ｍから駆動力が入力されることにより、定着ローラ１０が回転駆動される構成となっている。
【００４２】
第１伝達ギア１２は定着ギア１１と噛合い関係にあるため、駆動モータＭからの駆動力が定着ギア１１を介して入力される。さらに、第１伝達ギア１２は第２伝達ギア１３とともに軸１６に固定されている。
【００４３】
伝動ベルト１５は第２伝達ギア１３と加圧ギア１４により架けまわされており、所定の張力で張架されるよう図示しないテンションローラが圧接されている。
【００４４】
また、加圧ギア１４は駆動ローラ２２と同軸的に一体で回転する構成とされている。従って、駆動モータＭからの駆動力が定着ギア１１〜第１伝達ギア１２〜第２伝達ギア１３〜伝動ベルト１５〜加圧ギア１４を経て駆動ローラ２２に入力される。
【００４５】
尚、それぞれのギアの歯数やローラの径の組合せにより駆動ローラ２２を任意の周速度で回転させることが可能である。本例では、後述するような関係を満たすように、加圧ベルトを駆動するローラとしての機能を担っている駆動ローラ２２に回転駆動力が入力されるようにそれぞれ設定している。
【００４６】
（定着装置の駆動に関する設定条件）
次に、定着装置Ｘの駆動に関する設定条件について説明する。
【００４７】
未定着トナー像が形成されたシートＳが定着ニップ領域にあるとき、未定着トナーと定着ローラ１０とが滑ることなく定着処理が行われるようにするのが好ましい。
【００４８】
そのためには、上述したように定着ローラに駆動力を入力する構成としながらも、加圧ベルトにも別途駆動力を入力する構成とするのが好ましい。しかしながら、このような構成とした場合、両者を全くの同一の速度で駆動することは、駆動機構を構成する各種機器の公差などにより困難である。
【００４９】
そこで、本例では、定着ローラと加圧ベルトのそれぞれに駆動力を別途入力する方式を採用しながらも後述するような工夫を施している。
【００５０】
つまり、定着ローラと加圧ベルトの双方を別途駆動する方式を採用しながらも、基本的には、加圧ベルト２０を定着ローラ１０に従動させるように構成している。なお、従動とは、一方が他方から受けた摩擦力により両者がほぼ同じ周速で回転することを言う。
【００５１】
そのため、本例では、後述するように、駆動ローラと加圧ベルト内面間の動摩擦係数が定着ローラと加圧ベルト外面間の動摩擦係数よりも小さく設定されている。なお、以降の説明において、特に断りがない限り、「摩擦係数」は「動摩擦係数」のことを指す。
【００５２】
また、加圧ベルト２０を定着ローラ１０に従動回転させるため、後述するように、駆動ローラと加圧ベルト内面間の摩擦係数は無視できるほど小さな値に設定されている。
【００５３】
また、定着ローラに対しシートＳに遅れが生じないように、加圧ベルトにブレーキ力を与える加圧パッド２６に対しては、その表面に摺動抵抗を低減するための低摺動シート２７を被覆している。さらに、その低摺動シートとしてその表面に大きな凹凸が形成されたものを使用することによって、加圧ベルトに対するブレーキ力を低減している。
【００５４】
すなわち、［定着ローラによる加圧ベルトの搬送力］＞［加圧ベルトに作用するブレーキ力］の関係を満たすように設定されている。
【００５５】
さらに、加圧ベルトに作用するブレーキ力を更に低減させるため、上述のオイル塗布ローラ２８により加圧ベルトの内面にオイルを塗布している。従って、駆動ローラと加圧ベルト内面間の摩擦力が無視できる程度となる。
【００５６】
しかし、本発明者の検討により、駆動ローラの周速度（後述のＶ２）を定着ローラの周速度（後述のＶ１）に対して９０％未満に設定すると加圧ベルトのブレーキ力が大きくなってしまうことが判明した。つまり、駆動ローラの周速度（後述のＶ２）を定着ローラの周速度に対して９０％未満に設定すると定着ローラに対しシートＳが遅れて画像不良が発生してしまうことが分かった。
【００５７】
そこで、本例では、駆動ローラの周速を定着ローラの周速に対して９０％よりも速い周速に設定している。
【００５８】
図５は、シートＳを搬送する際に、摺動する部材間に発生する摩擦力や周速度について示したものである。
【００５９】
本例においては、駆動ローラ２２と加圧パッド２６を加圧ベルト２０に圧接させてニップを形成している。そのため、駆動ローラ２２との摺動摩擦力Ｆ２と、加圧パッド２６との摺動摩擦力Ｆ３が加圧ベルト２２内面から発生される。このとき、画像ずれが発生しない条件は、「定着ローラによる加圧ベルトの搬送力」をＦ１としたとき、
Ｆ１＞−（Ｆ２＋Ｆ３）
を満足するように各種条件を設定するのが好ましい。ここで、シートＳの進行方向を正とした。
【００６０】
ただし、図中に示すＦ１、Ｆ２、Ｆ３、Ｖ１、Ｖ２、Ｐ１、Ｐ２、μ１、μ２、μ３は以下に示すパラメータを表している。また、本例において各種パラメータは以下のように設定した。
【００６１】
Ｆ１：定着ローラと加圧ベルト外面間の摺動摩擦力（＝μ１×（Ｐ１＋Ｐ２））
Ｆ２：加圧ベルト内面と駆動ローラ間の摺動摩擦力（＝μ２×Ｐ２）
Ｆ３：加圧ベルト内面と加圧パッド間の摺動摩擦力（＝μ３×Ｐ１）
Ｖ１：定着ローラの周速度（＝１００［ｍｍ／ｓ］）
Ｖ２：駆動ローラの周速度（＝９５［ｍｍ／ｓ］）
Ｐ１：加圧パッドの加圧力（＝５００［Ｎ］）
Ｐ２：駆動ローラの加圧力（＝４５０［Ｎ］）
μ１：定着ローラと加圧ベルト外面間の摩擦係数（＝０．３）
μ２：加圧ベルト内面と駆動ローラ外面の摩擦係数（＝０．１）
μ３：加圧ベルト内面と摺動シート間の摩擦係数（＝０．０５）
なお、インレットローラ２１、ステアリングローラ２３はともに図示しないベアリングによって回転支持されており、加圧ベルトによって従動回転する構成とされている。そのため、この両ローラと加圧ベルト２０内面との動摩擦係数は、加圧ベルト内面と駆動ローラ間の動摩擦係数や、加圧ベルト内面と摺動シート間の動摩擦係数に比べて無視できるほど小さい。そのため、ここでは、インレットローラ２１、ステアリングローラ２３による負荷は無視している。
【００６２】
そこで、本例では、加圧ベルト２０を定着ローラ１０に従動回転させるため、定着ローラ１０と加圧ベルト２０外面との摩擦係数μ１を、加圧ベルト内面と駆動ローラ間の摩擦係数μ２よりも大きな値に設定している。
μ２＜μ１・・・・（１）
なお、μ１は加圧ベルト２０と摺動シート２７間の摩擦係数μ３よりも十分大きく設定されている。
【００６３】
ここで、定着ローラ１０と加圧ベルト２０外面間の摩擦係数μ１を大きくしていった場合、加圧ベルトの搬送性を向上させることができるので、スリップによる画像ずれ防止の効果が向上する。
【００６４】
しかし、本発明者の検討により、定着ローラ１０と加圧ベルト２０外面間の摩擦係数μ１が０．５以上になると、加圧ベルトの寄り力制御が困難になることが判明した。従って、定着ローラ１０と加圧ベルト２０外面間の摩擦係数μ１は０．５未満に設定するのが好ましい。
【００６５】
一方、定着ローラ１０と加圧ベルト２０外面間の摩擦係数μ１を小さくしていった場合、定着ローラによる加圧ベルトの搬送性が低下してしまう。本発明者の検討により、定着ローラ１０と加圧ベルト２０外面間の摩擦係数μ１が０．２以下になると、定着ローラによる加圧ベルトの搬送性の低下に伴い、この場合も加圧ベルトの寄り力制御が困難になることが判明した。従って、定着ローラ１０と加圧ベルト２０外面間の摩擦係数μ１は０．２よりも大きな値に設定するのが好ましい。
【００６６】
つまり、
０．２＜μ１＜０．５・・・・（２）
を満たすように設定するのが好ましい。
【００６７】
また、加圧ベルト２０内面と駆動ローラ２２間の摩擦係数μ２を大きくしていった場合、加圧ベルト２０と駆動ローラ２２間の摩擦力が無視できなくなる。本発明者の検討により、加圧ベルト２０内面と駆動ローラ２２間の摩擦係数μ２を０．３以上に設定すると、加圧ベルトの耐久性が駆動ローラとの摩擦により大きく低下してしまうことが判明した。従って、加圧ベルト２０内面と駆動ローラ２２間の摩擦係数μ２を０．３未満に設定するのが好ましい。
【００６８】
なお、加圧ベルトの耐久性の観点からは、加圧ベルト２０内面と駆動ローラ２２の摩擦係数μ２を小さくすればするほど好ましいが、本例ではこれを駆動ローラ２２の表面に均し処理を施すことにより達成している。つまり、加圧ベルト２０内面と駆動ローラ２２間の摩擦係数μ２が０．００５以下となるまで駆動ローラ２２の表面の均し処理を行うのは、製造コストの観点から好ましくない。また、加圧ベルト２０内面と駆動ローラ２２間の摩擦係数μ２が０．００５以下にすると、ベルト内面に塗布されたオイルが駆動ローラによって拘束し難くなりこれが定着ローラ側に回り込み易くなってしまう。この回り込んだオイルによって画像不良が発生することが懸念される。従って、加圧ベルト２０内面と駆動ローラ２２間の摩擦係数μ２を０．００５よりも大きな値に設定するのが好ましい。
【００６９】
つまり、
０．００５＜μ２＜０．３・・・・（３）
を満たすように設定するのが好ましい。
【００７０】
（摩擦係数の測定方法）
次に、摩擦係数の測定方法及び結果を以下に説明する。
【００７１】
図８に示すように、測定対象の一方の試料１（７０[ｍｍ]×５０[ｍｍ]）をプレート５０上に載せてセットする。また、測定対象の他方の試料２である回転体５１を固定する。この回転体５１は、本例における定着ローラ１０や駆動ローラ２２に相当する。
【００７２】
続いて、テンションゲージ５３が接続された状態の試料１をプレート５０上にセットする。そして、プレート５０との間で試料１を挟み込むように回転体５１をセットし、おもり５２によりこの回転体５１に２．９［Ｎ］の荷重Ｎを掛ける。
【００７３】
そして、温度２３度、相対湿度５０％に維持された室内環境下で、回転体５１を矢印方向に１００[ｍｍ／ｓ]で回転させ、その時に得られるテンションゲージ５３からの出力値Ｆを読み取って測定値とする。出力値Ｆは、測定開始直後はスティックスリップなどにより出力値が不安定となるため、出力値Ｆが安定したものを測定値として複数求め、それを平均化したものである。なお、この出力値Ｆは、プレート５０の試料１との接触面の表面性も加味された出力となる。従って、本例では、この出力値Ｆを予め用意された算出式に基づき正規化し、これを後述の式に代入することにしている。
【００７４】
上記の方法で得られたテンションゲージ５３の出力値Ｆ（正規化後）を平均化したものを次式に代入して摩擦係数μを算出する。
Ｆ＝μ×Ｎ（μは摩擦係数、Ｎは荷重）
本例では、測定の結果、
μ１＝０．３  μ２＝０．１  μ３＝０．０５
となった。
【００７５】
（駆動ローラの周速度に対する加圧ベルトの挙動の変化）
一方、本発明者は、上記条件下において定着処理を行ったところ、駆動ローラの周速度によっては、画像に光沢ムラが発生することが分かった。
【００７６】
ここで、本発明者は、この光沢ムラの発生有無について、次のような仮説を立てた。つまり、駆動ローラの周速度を変えることによって定着ニップの出口付近において加圧ベルトの挙動が変化していることに起因しているのではなかいと考えた。その結果、定着ローラや加圧ベルトに対するシートＳの分離性が変化してしまい、これに起因してシートＳ上の画像に光沢の高い領域と低い領域が発生してしまうのではないかと考えた。
【００７７】
そこで、定着ニップの出口付近における加圧ベルトの挙動と光沢ムラとの関係を確認するため、定着装置Ｘの側方に高速度カメラを設置し、加圧ベルトの挙動観察を行った。具体的には、定着処理時の条件、すなわち、定着ローラに対し加圧ベルトを圧接させた状態で、加圧ベルトの挙動観察を行った。以下の検証は、駆動ローラの周速度との因果関係を確認するため様々な値に変更している。
【００７８】
図６は、定着ローラに対する駆動ローラの周速比（Ｖ２／Ｖ１）が０．９５の場合と１．０５の場合におけるベルトの挙動の結果を示している。なお、図６の縦軸は、定着ニップ出口付近において加圧ベルトが駆動ローラ表面から浮いてしまっている領域のうち最も駆動ローラから離れた加圧ベルトの部位と駆動ローラ表面との間の最大距離αを示している（図７参照）。なお、この距離αは、駆動ローラの径方向と平行な方向に沿って測定した距離である。また、この測定は、高速度カメラにより撮影した画像をモニターに映し出し、このモニター上で距離を測り、これを実寸距離α（ｍｍ）に直したものである。図６の横軸は時間を示している。本例では０．０３秒間隔で約３３０枚の画像を取り込むことで、１０秒間に亘って撮影を行っている。
【００７９】
以下の表１は、周速比を上記の２つの値だけでなく、様々な値に振った場合の測定結果を示したものである。なお、光沢ムラの項目は、○が発生せず、×が発生したことを意味している。
【００８０】
これらの検証結果から、駆動ローラを定着ローラよりも遅い周速度で回動させた場合、定着ニップ出口付近において駆動ローラに対する加圧ベルトの浮きは無視できる程度となり駆動ローラと加圧ベルトの接触状態が安定している。従って、光沢ムラが発生しなかった。
【００８１】
一方、駆動ローラを定着ローラよりも速い周速で回動させた場合、定着ニップ出口付近において駆動ローラに対する加圧ベルトの浮きが大きくなっており、駆動ローラと加圧ベルトとの接触状態が不安定になっていた。つまり、シート上のトナー像のうち、定着ニップの出口付近において浮いた状態にある加圧ベルトと接触した部位は光沢度がアップし、接触しなかった部位は光沢度がアップせず、この両部位間で光沢ムラが発生したものと考えられる。
【００８２】
【表１】
2008203514.tif 000003
【００８３】
すなわち、定着ニップ出口付近の加圧ベルトの挙動が不安定になると、光沢ムラが発生し画像不良を起こすことが確認された。
【００８４】
この現象を模式的に表したものが図７である。加圧ベルトと駆動ローラとの接触が不安定になる原因について、図７を用いて説明する。
【００８５】
本例の定着装置においては、加圧ベルトを定着ローラに従動回転させる構成となっているため、駆動ローラと加圧ベルト内面間の摩擦係数を十分小さな値に設定している。しかし、駆動ローラを定着ローラよりも速い周速度で回動させた場合、駆動ローラが加圧ベルトを駆動する力が微小ながら働き、定着ニップの出口付近において両者間の接触状態が不安定になってしまうと考えられる。
【００８６】
また、駆動ローラ近傍の加圧ベルトの速度は、図７に示すように、３つの領域において僅かではあるが異なっている。ここで、定着ローラと接触し駆動ローラの圧接によってニップを形成している部分（領域Ａ）におけるベルトの速度をＶａとする。また、定着ニップの直下流側の部分で駆動ローラに接触あるいは不安定な接触部分（領域Ｂ）におけるベルトの速度をＶｂとする。また、駆動ローラと接触していない部分（領域Ｃ）におけるベルトの速度をＶｃとする。なお、本例では、駆動ローラ２２の周速Ｖ２はこのＶｃに対応している。
【００８７】
つまり、定着装置の系全体として、加圧ベルトを定着ローラに従動回転させる構成となっているため、Ｖ１≒Ｖｃの関係にある。
【００８８】
次に、駆動ローラは定着ローラの弾性層に食い込むことで定着ニップを形成しているため、駆動ローラの径と定着ローラの弾性層の変形分を考慮すると、Ｖａ＞Ｖ１≒Ｖｃの関係にある。
【００８９】
従って、Ｖａ＞Ｖｃとなるため、Ｖｂはその速度差を吸収するように作用することになる。
【００９０】
ところで、図６にも示したように、定着ニップの出口付近における駆動ローラと加圧ベルト間の距離αは、実質的には０にならない。これは、上記したように、駆動ローラが定着ローラの弾性層を変形させているため、必然的に速度差が生じるためである。ただし、ベルトの挙動の安定性という意味で、定着ニップの出口付近において駆動ローラと加圧ベルト間の距離αが小さい方がベルトの挙動は安定していると言える。
【００９１】
ここで、駆動ローラを定着ローラよりも速い周速で回動させた場合、ＶａとＶｃの差が広がることになる。実際には、加圧ベルトが定着ローラに従動回転されているため、Ｖｃは変化せず、Ｖａが大きくなっている。これは、前述したように微小ながら駆動ローラが加圧ベルトを駆動する力が働くためである。その結果、領域Ａで生じた速度差を領域Ｂで吸収しきれずに駆動ローラから加圧ベルトが離れてしまう現象が発生し、ベルトの挙動が不安定化してしまうものと考えられる。
【００９２】
なお、加圧ベルトと駆動ローラの接触度合いを安定化させる方法として、加圧ベルトの張架力（テンション）を上げる方法が考えられる。本発明者は、加圧ベルトの張架力を上げた状態で、上記と同様のベルト挙動観察検証を行った。
【００９３】
その結果、駆動ローラを定着ローラよりも速い周速で回動させた場合においても、加圧ベルトと駆動ローラの接触が安定することが分かった。しかしながら、加圧ベルトの張架力を上げてしまうと、加圧ベルトの寄り力を制御できなくなってしまい、好ましい解決策とは言えないことが分かった。
【００９４】
ここまでの検証の結果、「光沢ムラ」の発生を抑制するためには、定着ローラに対する駆動ローラの周速比（Ｖ２／Ｖ１）を１．０未満に設定すれば良いことが確認された。
Ｖ２／Ｖ１＜１．０・・・・（４）
【００９５】
（駆動ローラの周速と画像ズレの関係）
次に、「光沢ムラ」の発生状況と共に「画像ズレ」の発生状況についての検証を行う。具体的には、なお、定着ローラの周速を１００［ｍｍ／ｓ］の固定値とした状態で、駆動ローラの周速を様々に変更した場合の「光沢ムラ」と「画像ズレ」の発生の有無について検証を行った。また、この検証を、シートに形成する画像の比率や環境条件をそれぞれ振って行った。
【００９６】
この検証の結果を表２に示す。なお、画像ズレの項目に関しては、画像ズレが明らかに認知され視覚的に違和感がある場合を「×」、画像ズレが僅かに認知されるものの違和感がない程度のものを「△」、画像ズレが認知されなかった場合を「○」とした。また、光沢ムラの項目に関しては、画像に光沢ムラが目立つものを「×」、光沢ムラが僅かに認知されるものの目立たないものを「△」、光沢ムラを認知できないものを「○」とした。また、「通常環境」とは、温度が２３℃、相対湿度が５０％の環境であり、「高温高湿環境」とは、温度が３０℃、相対湿度が８５％の環境である。さらに、「低デューティ画像」とは、シート上に形成する画像の比率が５％、「高デューティ画像」とはシート上に形成する画像の比率が１００％である。なお、画像比率とは、シートの画像が形成され得る領域の全面積に対し、シート上にトナーが載っている領域の面積の割合である。
【００９７】
【表２】
2008203514.tif 000004
【００９８】
この表２に示す検証結果から、定着ローラに対する駆動ローラの周速比を０．９０よりも大きく設定することで、光沢ムラと共に画像ズレの発生を防止することができることが分かった。一方、定着ローラに対する駆動ローラの周速比を０．９０以下に設定した場合、駆動ローラが加圧ベルトに対し無視できないレベルのブレーキ力を作用させてしまい、画像ズレが発生してしまったものと考えられる。つまり、シートＳが定着ローラに対し無視できない程に滑ってしまい（遅れてしまい）、画像ズレが発生してしまったものと考えられる。また、表２の結果から高デューティ画像ほどこの現象が顕著となっていることが分かる。そこで、以下の（５）の関係式を満たすのが好ましい。
０．９＜Ｖ２／Ｖ１・・・・（５）
つまり、上記式（４）との関係から、
０．９＜Ｖ２／Ｖ１＜１．０・・・・（６）
を満たすように、Ｖ１、Ｖ２を設定するのが好ましい。
【００９９】
また、表２の結果から高湿時ほど画像ズレの現象が顕著となっていることが分かる。従って、高温高湿環境のときを考慮すると、定着ローラに対する駆動ローラの周速比を０．９３よりも大きく設定するのが好ましいことが分かる。そこで、以下の（７）の関係式を満たすのが好ましい。
０．９３＜Ｖ２／Ｖ１・・・・（７）
つまり、上記式（４）との関係から、
０．９３＜Ｖ２／Ｖ１＜１．０・・・・（８）
【０１００】
以上をまとめると、以下の（１）、（２）、（３）、（６）の条件を満たせば、加圧ベルトの挙動を安定化させることができる。その結果、光沢ムラ及び画像ズレのない高品質な画像を提供することができる。
μ２＜μ１・・・・（１）
０．２＜μ１＜０．５・・・・（２）
０．００５＜μ２＜０．３・・・・（３）
０．９＜Ｖ２／Ｖ１＜１．０・・・・（６）
但し、μ１は定着ローラと加圧ベルト間の摩擦係数、μ２は加圧ベルトと駆動ローラ間の摩擦係数、Ｖ１は定着ローラの周速、Ｖ２は駆動ローラの周速くを表す。
【０１０１】
また、装置の雰囲気環境が広範囲に変動したとしても、光沢ムラ及び画像ズレのない高品質な画像を提供するためには、以下の（８）の条件をさらに満たすのが好ましい。
０．９３＜Ｖ２／Ｖ１＜１．０・・・・（８）
【実施例２】
【０１０２】
次に、本発明に係る画像加熱装置としての定着装置の変形例について説明する。
【０１０３】
実施例１ではシート上の未定着トナー像に接触する部材がローラである例（定着ローラ）について説明したが、本例ではベルトとされている。つまり、本例では、定着側と加圧側の双方にベルトを用いた定着装置Ｘ’とされている。
【０１０４】
なお、本例では、後述する定着ベルトの構成を除き上述した実施例１とほぼ同様な構成とされているので、同様な構成についての詳細な説明は省略する。
【０１０５】
図９は、定着側と加圧側の双方にベルトを用いた定着装置Ｘ’の概略断面図である。
【０１０６】
未定着トナー像に接触して定着するための定着ユニットは、加熱回転体としてのエンドレスの定着ベルト３２０、これを張架するローラ３２３、３２２、定着パッド３２４を有している。ローラ３２３は、図示はしないが、実施例１（図４）と同様に、駆動ギア列Ｇを介して駆動モータＭと接続された構成とされており、定着ベルトを駆動する機能も担っている。ローラ３２２はテンションローラとしての機能を担っている。さらに、テンションローラ３２２内にはハロゲンヒータ３２２ａが設置されている。
【０１０７】
一方の加圧ユニットには、上記実施例１と同様に、エンドレスの加圧ベルト３２１、これを張架するローラ３２５、３２６、加圧パッド３２７を有している。ローラ３２６は、上記実施例１（図４）の駆動ローラ２２と同様に駆動力が入力されている。つまり、ローラ３２６は、駆動ギア列Ｇなどを介して駆動モータＭと接続された構成とされており、加圧ベルトを駆動する駆動ローラとしての機能も担っている。ローラ３２５はテンションローラとしての機能を担っている。
【０１０８】
このような構成において、上述した実施例１での定着ローラ１０の周速Ｖ１を本例では定着ベルト３２０の周速と読み替えることにより、本例においても実施例１と同様の効果を奏することができる。
【０１０９】
具体的には、以下の４つの関係式を満たせば、加圧ベルトの挙動を安定化させたことにより、光沢ムラ及び画像ズレのない高品質な画像を提供することができる。
【０１１０】
μ２＜μ１
０．２＜μ１＜０．５
０．００５＜μ２＜０．３
０．９＜Ｖ２／Ｖ１＜１．０
但し、μ１は定着ベルト３２０と加圧ベルト３２１間の摩擦係数、μ２は加圧ベルト３２１と駆動ローラ３２６間の摩擦係数、Ｖ１は定着ベルト３２０の周速、Ｖ２は駆動ローラ３２６の周速を表している。
【０１１１】
また、実施例１と同様に、装置の雰囲気環境が広範囲に変動したとしても、光沢ムラ及び画像ズレのない高品質な画像を提供するためには、以下の関係式をさらに満たすのが好ましい。
０．９３＜Ｖ２／Ｖ１＜１．０
以上の実施例１、２では、本発明をモノクロ画像形成装置に適用した例について説明したが、例えば、図１０に示すフルカラー画像形成装置にも適用することが可能である。以下、実施例１の定着装置Ｘを適用した例について簡単に構成の概略を説明する。なお、定着装置Ｘの代わりに実施例２にて説明した定着装置Ｘ’を適用することも可能である。
【０１１２】
図１０に示す装置内には、画像形成手段を構成する第１、第２、第３、第４の画像形成部Ｐａ、Ｐｂ、Ｐｃ、Ｐｄが併設され、各々異なった色のトナー像が潜像、現像、転写のプロセスを経て形成される。
【０１１３】
画像形成部Ｐａ、Ｐｂ、Ｐｃ、Ｐｄは、それぞれ専用の像担持体、本例では電子写真感光ドラム３０３ａ、３０３ｂ、３０３ｃ、３０３ｄを具備している。
【０１１４】
感光ドラム３０３ａ〜３０３ｄの外周には、それぞれドラム帯電器３０２ａ〜３０２ｄ、現像器３０１ａ〜３０１ｄ、１次転写帯電器３３１ａ〜３３１ｄ及びクリーナ３０４ａ〜３０４ｄが設けられる。装置の上方部にはさらに図示しない光源装置およびポリゴンミラーが設置されている。
【０１１５】
光源装置から発せられたレーザー光を、ポリゴンミラーを回転して走査し、その走査光の光束を反射ミラーによって偏向し、ｆθレンズにより感光ドラム３０３ａ〜３０３ｄの母線上に集光して露光する。これにより、感光ドラム３０３ａ〜３０３ｄ上に画像信号に応じた潜像が形成される。
【０１１６】
現像器３０１ａ〜３０１ｄには、現像剤としてそれぞれイエロー、マゼンタ、シアン及びブラックのトナーが、ホッパＥａ〜Ｅｄより所定量充填されている。現像器３０１ａ〜３０１ｄは、それぞれ感光ドラム３０３ａ〜３０３ｄ上の潜像を現像して、シアントナー像、マゼンタトナー像、イエロートナー像及びブラックトナー像として可視化する。
【０１１７】
感光ドラム３０３ａ〜３０３ｄの下方に設置された中間転写体３３０は矢示の方向に回転駆動されている。
【０１１８】
感光ドラム３０３ａ上に形成されたイエロートナー画像は、１次転写ローラ３３１ａに印加された１次転写バイアスにより中間転写体３３０の外周面に転写される。
【０１１９】
同様にマゼンタトナー画像、シアントナー画像、ブラックトナー画像が順次中間転写体３３０上に重畳転写され、目的のカラー画像に対応した合成カラートナー画像が形成される。
【０１２０】
３１１は２次転写ローラを示し、中間転写体３３０に対応し平行に軸受させて下面部に接触させて配設してある。２次転写ローラ３１１には、２次転写バイアス源によって所望の２次転写バイアスが印加されている。中間転写体３３０上に重畳転写された合成カラートナー画像のシートＳへの転写は、次のように行われる。すなわち、給紙カセット３００からレジストローラ対３１２、転写前ガイドを通過して中間転写体３３０と２次転写ローラ３１１との当接ニップに所定のタイミングでシートＰが給送される。これと同時に２次転写バイアスがバイアス電源からに印加される。この２次転写バイアスにより中間転写体３３０からシートＰへ合成カラートナー画像が転写される。
【０１２１】
一次転写が終了した感光ドラム３０３ａ〜３０３ｄは、それぞれのクリーナ３０４ａ〜３０４ｄにより転写残トナーをクリーニング、除去され、引き続き次の潜像の形成以下に備えられる。中間転写体３３０上に残留したトナー及びその他の異物は、クリーナ３４０により拭い取るようにしている。本例では、このクリーナ３４０として、中間転写体３３０の表面に当接してクリーニングを行う巻き取り式のクリーニングウエブ（不織布）を用いている。
【０１２２】
トナー画像の転写を受けたシートＳは上述した定着装置Ｘへ導入される。そして、トナー像を担持したシートは定着装置Ｘにより加熱、加圧されて画像の定着が行われ、その後、排紙部３６３を経て排紙トレイに排出される。
【０１２３】
このように、シート上に形成されるトナー像のトナー量がモノクロ画像に比して多くなるカラー画像形成装置では、本発明のようなベルトを用いた定着装置が好適である。
【０１２４】
また、以上では、画像加熱装置として定着装置を例に説明したが、以下のような装置にも同様に本発明を適用することが可能である。例えば、シートＳ上に既に定着された状態にあるトナー画像を再加熱することによりトナー画像の光沢度を向上させる光沢向上装置にも本発明を同様に適用することができる。
【図面の簡単な説明】
【０１２５】
【図１】画像形成装置の概略断面図である。
【図２】定着装置を示す概略断面図である。
【図３】定着装置の要部を示す概略断面図である。
【図４】定着装置の駆動構成を示す概略図である。
【図５】シート搬送時における摩擦力、速度を示す図である。
【図６】駆動ローラに対する加圧ベルトの離間距離αを測定した結果である。
【図７】定着ニップの出口付近での加圧ベルトの挙動を示す模式図である。
【図８】摩擦係数を測定する測定系を示す概略断面図である。
【図９】定着装置を示す概略断面図である。
【図１０】画像形成装置を示す概略断面図である。
【符号の説明】
【０１２６】
Ｘ  定着装置
Ｗ  定着ニップ
１  画像形成装置
１０  定着ローラ
１１  定着ギア
１２  第一伝達ギア
１３  第二伝達ギア
１４  分離駆動ギア
１５  伝動ベルト、
１６  軸
２０  加圧ベルト
２１  インレットローラ
２２  駆動ローラ
２３  ステアリングローラ
２４  加圧パッド
２７  摺動シート
２８  オイル塗布ローラ
２９、３０、１１４  サーミスタ
【図１】
2008203514.tif 000005
【図２】
2008203514.tif 000006
【図３】
2008203514.tif 000007
【図４】
2008203514.tif 000008
【図５】
2008203514.tif 000009
【図６】
2008203514.tif 000010
【図７】
2008203514.tif 000011
【図８】
2008203514.tif 000012
【図９】
2008203514.tif 000013
【図１０】
2008203514.tif 000014